(57)【要約】【課題】  ＰＣにパケット通信用の無線通信機器（通信端末）を装着し、無線によるパケット通信を行う場合の利便性を向上させる。【解決手段】  ＰＣ１００に着脱可能な通信端末を複数台用意し、そのうちの１つを呼出符号を記憶したマスタ機２００とし、その他を呼出符号を記憶しないスレーブ機３００とする。そして、ＰＣ１００に装着されたマスタ機２００およびスレーブ機３００の発呼を、ＰＣ本体側から個々に制御できるようにする。これにより、ＰＣをモバイル環境で使用しているときには、通信速度よりも持ち運びに便利なようにマスタ機２００のみを装着して通信を行い、家庭等における固定運用時には、通信速度を重視してマスタ機２００とスレーブ機３００の両方を装着して通信するなどの使い分けを行い、利便性を向上させる。【選択図】  図１
2007096808.tif 000002
【特許請求の範囲】
【請求項１】
ＰＣ本体またはＰＣ本体に付設された拡張端子に着脱可能に構成され、前記ＰＣが無線基地局とパケット通信を行うための通信端末として使用される１つのマスタ機と、ＰＣ本体またはＰＣ本体に付設された拡張端子に着脱可能に構成され、前記ＰＣが無線基地局とパケット通信を行うための通信端末として使用される１または複数のスレーブ機とで構成される無線通信機器であって、
前記マスタ機は、無線基地局へ回線接続するための呼出符号を記憶し、前記ＰＣから発呼を指示する制御信号を受信して、前記無線基地局との回線接続を行う呼制御手段を備え、
前記スレーブ機は、前記ＰＣから発呼を指示する制御信号を受信して、前記マスタ機の呼出符号を使用し、前記無線基地局と回線接続を行う呼制御手段を備える
ことを特徴とする無線通信機器。
【請求項２】
前記無線基地局がＰＨＳの無線基地局であり、
前記マスタ機は、１つの物理チャネルの複数のスロットを使用して、マスタ機内部の回線接続数を増減する制御処理を行う帯域制御手段を備え、
前記スレーブ機は、１つの物理チャネルの複数のスロットを使用して、スレーブ機内部の回線接続数を増減する制御処理を行う帯域制御手段を備えること
を特徴とする請求項１に記載の無線通信機器。
【請求項３】
前記マスタ機における回線接続数を増減する制御処理と、前記スレーブ機における回線接続数を増減する制御処理が、前記ＰＣからの指令信号を受信して実行されるように構成されたこと
を特徴とする請求項１または請求項２に記載の無線通信機器。
【請求項４】
前記マスタ機およびスレーブ機は、前記ＰＣにＵＳＢにより接続されることを
特徴とする請求項１から３のいずれかに記載の無線通信機器。
【請求項５】
ＰＣと、ＰＣ本体またはＰＣ本体に付設された拡張端子に着脱可能に構成され、前記ＰＣが無線基地局とパケット通信を行うための通信端末として使用される１つのマスタ機と、ＰＣ本体またはＰＣ本体に付設された拡張端子に着脱可能に構成され、前記ＰＣが無線基地局とパケット通信を行うための通信端末として使用される１または複数のスレーブ機とで構成される無線通信システムであって、
前記マスタ機は、
無線基地局へ回線接続するための呼出符号を記憶し、前記ＰＣから発呼を指示する制御信号を受信して、前記無線基地局との回線接続を行う呼制御手段を備え、
前記スレーブ機は、
前記ＰＣから発呼を指示する制御信号を受信して、前記マスタ機の呼出符号を使用し、前記無線基地局と回線接続を行う呼制御手段を備え、
前記ＰＣは、
前記マスタ機およびスレーブ機の装着状態を判定する機器装着認識手段と、
前記マスタ機に記憶された呼出符号を読み出し、該呼出符号により、前記マスタ機および前記スレーブ機に対して前記無線基地局への発呼を指示する制御信号を送信するＰＣ呼制御手段と、
前記マスタ機およびスレーブ機の機器装着状態の情報を参照し、送受信するデータを前記マスタ機およびスレーブ機に振り分ける処理を行うＰＣ帯域制御手段と
を備えることを特徴とする無線通信システム。
【請求項６】
前記無線基地局がＰＨＳの無線基地局であり、
前記マスタ機は、１つの物理チャネルの複数のスロットを使用して、マスタ機内部の回線接続数を増減する制御処理を行う帯域制御手段を備え、
前記スレーブ機は、１つの物理チャネルの複数のスロットを使用して、スレーブ機内部回線接続数を増減する制御処理を行う帯域制御手段を備え、
前記ＰＣは、送受信するデータの流量を判定し、前記マスタ機および前記スレーブ機に対して、回線接続数の増減を行うように指示する制御信号を生成して送信するＰＣ帯域制御手段を
備えることを特徴とする請求項５に記載の無線通信システム。
【請求項７】
ＰＣ本体またはＰＣ本体に付設された拡張端子に着脱可能に構成され、前記ＰＣが無線基地局とパケット通信を行うための通信端末として使用される１つのマスタ機と、ＰＣ本体またはＰＣ本体に付設された拡張端子に着脱可能に構成され、前記ＰＣが無線基地局とパケット通信を行うための通信端末として使用される１または複数のスレーブ機とで構成される無線通信機器における無線通信方法であって、
前記マスタ機内のコンピュータが、無線基地局へ回線接続するための呼出符号を記憶し、前記ＰＣから発呼を指示する制御信号を受信して、前記無線基地局との回線接続を行うステップと、
前記スレーブ機内のコンピュータが、前記ＰＣから発呼を指示する制御信号を受信して、前記マスタ機の呼出符号を使用し、前記無線基地局と回線接続を行うステップと
を含むことを特徴とする無線通信方法。
【請求項８】
ＰＣと、ＰＣ本体またはＰＣ本体に付設された拡張端子に着脱可能に構成され、前記ＰＣが無線基地局とパケット通信を行うための通信端末として使用される１つのマスタ機と、ＰＣ本体またはＰＣ本体に付設された拡張端子に着脱可能に構成され、前記ＰＣが無線基地局とパケット通信を行うための通信端末として使用される１または複数のスレーブ機とで構成される無線通信システムであって、前記マスタ機は、無線基地局へ回線接続するための呼出符号を記憶し、前記ＰＣから発呼を指示する制御信号を受信して、前記無線基地局との回線接続を行う呼制御手段を備え、前記スレーブ機は、前記ＰＣから発呼を指示する制御信号を受信して、前記マスタ機の呼出符号を使用し、前記無線基地局と回線接続を行う呼制御手段を備えた無線通信システムにおける前記ＰＣ内のコンピュータに、
前記マスタ機およびスレーブ機の装着状態を判定するステップと、
前記マスタ機に記憶された呼出符号を読み出し、該呼出符号により、前記マスタ機および前記スレーブ機に対して前記無線基地局への発呼を指示する制御信号を送信するステップと、
前記マスタ機およびスレーブ機の装着状態の情報を参照し、送受信するデータを前記マスタ機およびスレーブ機に振り分ける処理を行うステップと
を実行させるためのプログラムを記録したコンピュータ読み取り可能な記録媒体。
【請求項９】
ＰＣと、ＰＣ本体またはＰＣ本体に付設された拡張端子に着脱可能に構成され、前記ＰＣが無線基地局とパケット通信を行うための通信端末として使用される１つのマスタ機と、ＰＣ本体またはＰＣ本体に付設された拡張端子に着脱可能に構成され、前記ＰＣが無線基地局とパケット通信を行うための通信端末として使用される１または複数のスレーブ機とで構成される無線通信システムであって、前記マスタ機は、無線基地局へ回線接続するための呼出符号を記憶し、前記ＰＣから発呼を指示する制御信号を受信して、前記無線基地局との回線接続を行う呼制御手段を備え、前記スレーブ機は、前記ＰＣから発呼を指示する制御信号を受信して、前記マスタ機の呼出符号を使用し、前記無線基地局と回線接続を行う呼制御手段を備えた無線通信システムにおける前記ＰＣ内のコンピュータに、
前記マスタ機およびスレーブ機の装着状態を判定するステップと、
前記マスタ機に記憶された呼出符号を読み出し、該呼出符号により、前記マスタ機および前記スレーブ機に対して前記無線基地局への発呼を指示する制御信号を送信するステップと、
前記マスタ機およびスレーブ機の装着状態の情報を参照し、送受信するデータを前記マスタ機およびスレーブ機に振り分ける処理を行うステップと
を実行させるためのプログラム。
【発明の詳細な説明】
【技術分野】
【０００１】
本発明は、ＰＣ（パーソナルコンピュータ）に無線通信機器（通信端末）を装着してパケット通信を行う場合に、該無線通信機器の利用の利便性を高めることができる、無線通信機器、無線通信システム、無線通信方法、記録媒体、及びプログラムに関する。
【背景技術】
【０００２】
近年、モバイルコンピューティングが盛んになり、コンピュータとインターネット等との通信接続のために、従来の最大通信速度３２Ｋｂｐｓ（１つのパケット通信路（物理チャネルを４つに時分割した場合の送受信用の各１スロット相当）の最大通信速度）のＰＨＳ（Personal Handyphone System）パケット通信サービスに加えて、最大通信速度１２８Ｋｂｐｓ（送受信用の各４スロット相当）のＰＨＳパケット通信サービスを利用する例が多くなっている（図９参照）。
【０００３】
この最大通信速度１２８ＫｂｐｓのＰＨＳパケット通信サービスを利用する場合に、１２８Ｋｂｐｓの製品を複数組み合わせ、高速通信を実現する設備はあったが、それぞれを取り外して個別に選択使用することは実現できていなかった。
【０００４】
したがって、モバイル環境においてはコンピュータに１２８ｋｂｐｓの製品のみを１つだけ装着し、家庭などの固定運用時にはコンピュータに複数の１２８ｋｂｐｓの製品を装着し、高速で通信を行うなどの使い分けができず、不便であった。
【０００５】
なお、本発明に関連する従来技術の無線通信システムがある（例えば、特許文献１参照）。この特許文献１の無線通信システムは、Bluetooth（ブルートゥース）等に利用される無線装置において、効率的に複数の無線通信端末が接続し、その際の手間を簡略化することを可能とすることを目的としている。このために、無線通信システムは、複数の無線通信モジュールＡ、Ｂ、Ｃ、と制御部を備える。無線通信モジュールＡは、無線通信端末のエントリ許可権限を有すると共に、認証処理部により無線通信端末の認証を行う。制御部は、当該無線通信端末の無線接続に伴い無線通信モジュールＡに無線接続中の無線通信端末の数が最大接続数に達した場合、当該無線通信端末を無線通信モジュールＡから切断し他の無線通信モジュールＢ、Ｃに無線接続する。制御部は、無線通信モジュールＡ、Ｂ、Ｃに無線接続中の無線通信端末の数が最大接続数に達した場合、無線接続中の無線通信端末のうち最下位ランクの無線通信端末を、Bluetooth方式におけるＰＡＲＫモードとする。
【０００６】
しかしながら、本発明は、パケット通信用の無線通信機器（通信端末）の１つまたは複数を、ＰＣに個々に着脱できるようにし、無線通信機器の利用の利便性を高めようとするものであり、特許文献１の従来技術とは、発明の目的と構成が異なるものである。
【０００７】
また、従来技術の無線ネットワークシステムに接続する無線通信機器がある（例えば、特許文献２参照）。この特許文献２の無線通信機器は、Bluetooth（ブルートゥース）や無線ＬＡＮ等を利用する場合に、有線接続を行わないため、各無線通信機器のネッワークへ接続情報の把握が困難であるという課題を解決することを目的としている。このために、無線ネットワークに接続する無線通信機器に発光素子を設け、複数の無線ネットワークが混在する中から、自機器が含まれる無線ネットワークに接続している機器を、発光素子の点滅間隔を同期して発光させたり、発光素子の発光色を同一にすることで、容易に識別できるようにしている。
【０００８】
しかしながら、本発明は、パケット通信用の無線通信機器（通信端末）の１つまたは複数を、ＰＣに個々に着脱できるようにし、無線通信機器の利用の利便性を高めようとするものであり、特許文献２の従来技術とは、発明の目的と構成が異なるものである。
【特許文献１】特開２００５−２７１６４号公報
【特許文献２】特開２００１−２７４８０２号公報
【発明の開示】
【発明が解決しようとする課題】
【０００９】
以上説明したように、ＰＨＳパケット通信サービスを利用する場合に、基本単位（１スロットの最大通信速度）のＰＨＳパケット通信機器を複数枚組み合わせ一位化し、かつＵＳＢ端子に接続できるようにし、高速通信を実現する製品が提供されているが、この場合に、ＰＨＳパケット通信機器を取り外して個別に選択使用することは実現できていなかった。したがって、モバイル環境においてはコンピュータにＰＨＳパケット通信機器を１つだけ装着し、家庭などの固定運用時にはコンピュータに複数のＰＨＳパケット通信機器を装着し、高速通信を行うなどの使い分けができず、不便であった。
【００１０】
本発明はこのような問題を解決するためになされたもので、その目的は、ＰＣに無線通信機器（通信端末）を装着してパケット通信を行う場合に、該無線通信機器の利用の利便性を高めることができる、無線通信機器、無線通信システム、無線通信方法、記録媒体、及びプログラムを提供することにある。
【課題を解決するための手段】
【００１１】
本発明は上記課題を解決するためになされたものであり、本発明の無線通信機器は、ＰＣ本体またはＰＣ本体に付設された拡張端子に着脱可能に構成され、前記ＰＣが無線基地局とパケット通信を行うための通信端末として使用される１つのマスタ機と、ＰＣ本体またはＰＣ本体に付設された拡張端子に着脱可能に構成され、前記ＰＣが無線基地局とパケット通信を行うための通信端末として使用される１または複数のスレーブ機とで構成される無線通信機器であって、前記マスタ機は、無線基地局へ回線接続するための呼出符号を記憶し、前記ＰＣから発呼を指示する制御信号を受信して、前記無線基地局との回線接続を行う呼制御手段を備え、前記スレーブ機は、前記ＰＣから発呼を指示する制御信号を受信して、前記マスタ機の呼出符号を使用し、前記無線基地局と回線接続を行う呼制御手段を備えることを特徴とする。
これにより、ＰＣをモバイル環境で使用しているときには、通信速度よりも持ち運びに便利なようにマスタ機のみを装着して通信を行い、家庭等における固定運用時には、通信速度を重視してマスタ機とスレーブ機の両方を使用して通信するなどの使い分けができ、利便性が向上する。例えば、ＰＣをモバイル環境で使用し、ＰＨＳパケット通信を行っているときには、マスタ機のみの構成で最大１２８Ｋｂｐｓ、固定運用時には（マスタ機＋スレーブ機数）×１２８Ｋｂｐｓでの通信が可能になる。
【００１２】
また、本発明の無線通信機器は、前記無線基地局がＰＨＳの無線基地局であり、前記マスタ機は、１つの物理チャネルの複数のスロットを使用して、マスタ機内部の回線接続数を増減する制御処理を行う帯域制御手段を備え、前記スレーブ機は、１つの物理チャネルの複数のスロットを使用して、スレーブ機内部の回線接続数を増減する制御処理を行う帯域制御手段を備えることを特徴とする。
これにより、ＰＣと無線基地局との間のデータ流量の増加に応じて、マスタ機の回線接続数を増加し、また、マスタ機のみでは通信速度が不足する場合には、スレーブ機を使用すると共に、さらに、スレーブ機の回線接続数を増加させることができる。
【００１３】
また、本発明の無線通信機器は、前記マスタ機における回線接続数を増減する制御処理と、前記スレーブ機における回線接続数を増減する制御処理が、前記ＰＣからの指令信号を受信して実行されるように構成されたことを特徴とする。
これにより、ＰＣと無線基地局との間のデータ流量の増加に応じて、ＰＣ側からの制御信号により、マスタ機の回線接続数を増加し、また、マスタ機のみでは通信速度が不足する場合には、スレーブ機を使用すると共に、さらに、スレーブ機の回線接続数を増加させることができる。
【００１４】
また、本発明の無線通信機器は、前記マスタ機およびスレーブ機は、前記ＰＣにＵＳＢにより接続されることを特徴とする。
これにより、マスタ機およびスレーブ機の活線挿抜が可能となる。
【００１５】
また、本発明の無線通信システムは、ＰＣと、ＰＣ本体またはＰＣ本体に付設された拡張端子に着脱可能に構成され、前記ＰＣが無線基地局とパケット通信を行うための通信端末として使用される１つのマスタ機と、ＰＣ本体またはＰＣ本体に付設された拡張端子に着脱可能に構成され、前記ＰＣが無線基地局とパケット通信を行うための通信端末として使用される１または複数のスレーブ機とで構成される無線通信システムであって、前記マスタ機は、無線基地局へ回線接続するための呼出符号を記憶し、前記ＰＣから発呼を指示する制御信号を受信して、前記無線基地局との回線接続を行う呼制御手段を備え、前記スレーブ機は、前記ＰＣから発呼を指示する制御信号を受信して、前記マスタ機の呼出符号を使用し、前記無線基地局と回線接続を行う呼制御手段を備え、前記ＰＣは、前記マスタ機およびスレーブ機の装着状態を判定する機器装着認識手段と、前記マスタ機に記憶された呼出符号を読み出し、該呼出符号により、前記マスタ機および前記スレーブ機に対して前記無線基地局への発呼を指示する制御信号を送信するＰＣ呼制御手段と、前記マスタ機およびスレーブ機の機器装着状態の情報を参照し、送受信するデータを前記マスタ機およびスレーブ機に振り分ける処理を行うＰＣ帯域制御手段とを備えることを特徴とする。
これにより、ＰＣをモバイル環境で使用しているときには、通信速度よりも持ち運びに便利なようにマスタ機のみを装着して通信を行い、家庭等における固定運用時には、通信速度を重視してマスタ機とスレーブ機の両方を使用して通信するなどの使い分けができ、利便性が向上する。例えば、ＰＣをモバイル環境で使用し、ＰＨＳパケット通信を行っているときには、マスタ機のみの構成で最大１２８Ｋｂｐｓ、固定運用時には（マスタ機＋スレーブ機数）×１２８Ｋｂｐｓでの通信が可能になる。
【００１６】
また、本発明の無線通信システムは、前記無線基地局がＰＨＳの無線基地局であり、前記マスタ機は、１つの物理チャネルの複数のスロットを使用して、マスタ機内部の回線接続数を増減する制御処理を行う帯域制御手段を備え、前記スレーブ機は、１つの物理チャネルの複数のスロットを使用して、スレーブ機内部回線接続数を増減する制御処理を行う帯域制御手段を備え、前記ＰＣは、送受信するデータの流量を判定し、前記マスタ機および前記スレーブ機に対して、回線接続数の増減を行うように指示する制御信号を生成して送信するＰＣ帯域制御手段を備えることを特徴とする。
これにより、ＰＣと無線基地局との間のデータ流量の増加に応じて、ＰＣ側からの制御信号により、マスタ機の回線接続数を増加し、また、マスタ機のみでは通信速度が不足する場合には、スレーブ機を使用すると共に、さらに、スレーブ機の回線接続数を増加させることができる。
【００１７】
また、本発明の無線通信方法は、ＰＣ本体またはＰＣ本体に付設された拡張端子に着脱可能に構成され、前記ＰＣが無線基地局とパケット通信を行うための通信端末として使用される１つのマスタ機と、ＰＣ本体またはＰＣ本体に付設された拡張端子に着脱可能に構成され、前記ＰＣが無線基地局とパケット通信を行うための通信端末として使用される１または複数のスレーブ機とで構成される無線通信機器における無線通信方法であって、前記マスタ機内のコンピュータが、無線基地局へ回線接続するための呼出符号を記憶し、前記ＰＣから発呼を指示する制御信号を受信して、前記無線基地局との回線接続を行うステップと、前記スレーブ機内のコンピュータが、前記ＰＣから発呼を指示する制御信号を受信して、前記マスタ機の呼出符号を使用し、前記無線基地局と回線接続を行うステップとを含むことを特徴とする。
これにより、ＰＣをモバイル環境で使用しているときには、通信速度よりも持ち運びに便利なようにマスタ機のみを装着して通信を行い、家庭等における固定運用時には、通信速度を重視してマスタ機とスレーブ機の両方を使用して通信するなどの使い分けができ、利便性が向上する。例えば、ＰＣをモバイル環境で使用し、ＰＨＳパケット通信を行っているときには、マスタ機のみの構成で最大１２８Ｋｂｐｓ、固定運用時には（マスタ機＋スレーブ機数）×１２８Ｋｂｐｓでの通信が可能になる。
【００１８】
また、本発明のコンピュータ読み取り可能な記録媒体は、ＰＣと、ＰＣ本体またはＰＣ本体に付設された拡張端子に着脱可能に構成され、前記ＰＣが無線基地局とパケット通信を行うための通信端末として使用される１つのマスタ機と、ＰＣ本体またはＰＣ本体に付設された拡張端子に着脱可能に構成され、前記ＰＣが無線基地局とパケット通信を行うための通信端末として使用される１または複数のスレーブ機とで構成される無線通信システムであって、前記マスタ機は、無線基地局へ回線接続するための呼出符号を記憶し、前記ＰＣから発呼を指示する制御信号を受信して、前記無線基地局との回線接続を行う呼制御手段を備え、前記スレーブ機は、前記ＰＣから発呼を指示する制御信号を受信して、前記マスタ機の呼出符号を使用し、前記無線基地局と回線接続を行う呼制御手段を備えた無線通信システムにおける前記ＰＣ内のコンピュータに、前記マスタ機およびスレーブ機の装着状態を判定するステップと、前記マスタ機に記憶された呼出符号を読み出し、該呼出符号により、前記マスタ機および前記スレーブ機に対して前記無線基地局への発呼を指示する制御信号を送信するステップと、前記マスタ機およびスレーブ機の装着状態の情報を参照し、送受信するデータを前記マスタ機およびスレーブ機に振り分ける処理を行うステップとを実行させるためのプログラムを記録したコンピュータ読み取り可能な記録媒体である。
【００１９】
また、本発明のコンピュータプログラムは、ＰＣと、ＰＣ本体またはＰＣ本体に付設された拡張端子に着脱可能に構成され、前記ＰＣが無線基地局とパケット通信を行うための通信端末として使用される１つのマスタ機と、ＰＣ本体またはＰＣ本体に付設された拡張端子に着脱可能に構成され、前記ＰＣが無線基地局とパケット通信を行うための通信端末として使用される１または複数のスレーブ機とで構成される無線通信システムであって、前記マスタ機は、無線基地局へ回線接続するための呼出符号を記憶し、前記ＰＣから発呼を指示する制御信号を受信して、前記無線基地局との回線接続を行う呼制御手段を備え、前記スレーブ機は、前記ＰＣから発呼を指示する制御信号を受信して、前記マスタ機の呼出符号を使用し、前記無線基地局と回線接続を行う呼制御手段を備えた無線通信システムにおける前記ＰＣ内のコンピュータに、前記マスタ機およびスレーブ機の装着状態を判定するステップと、前記マスタ機に記憶された呼出符号を読み出し、該呼出符号により、前記マスタ機および前記スレーブ機に対して前記無線基地局への発呼を指示する制御信号を送信するステップと、前記マスタ機およびスレーブ機の装着状態の情報を参照し、送受信するデータを前記マスタ機およびスレーブ機に振り分ける処理を行うステップとを実行させるためのプログラムである。
【発明の効果】
【００２０】
本発明の無線通信機器においては、ＰＣに着脱可能な通信端末を複数台用意し、そのうちの１つを呼出符号（電話番号に相当する符号）を記憶したマスタ機とし、その他の通信端末を呼出符号を記憶しないスレーブ機とし、ＰＣに装着されたマスタ機およびスレーブ機の無線基地局への発呼を、ＰＣ本体側から個々に制御できるようにしたので、これにより、ＰＣをモバイル環境で使用しているときには、通信速度よりも持ち運びに便利なようにマスタ機のみを装着して通信を行い、家庭等における固定運用時には、通信速度を重視してマスタ機とスレーブ機の両方を使用して通信するなどの使い分けができ、利便性が向上する。例えば、ＰＣをモバイル環境で使用し、ＰＨＳパケット通信を行っているときには、マスタ機のみの構成で最大１２８Ｋｂｐｓ、固定運用時には（マスタ機＋スレーブ機数）×１２８Ｋｂｐｓでの通信が可能になる。
【００２１】
また、本発明の無線通信機器においては、マスタ機は、１つの物理チャネルの複数のスロットを使用して、マスタ機内部の回線を増減する処理を行い、またスレーブ機についても、１つの物理チャネルの複数のスロットを使用して、スレーブ機内部の回線を増減する処理を行えるようにしたので、これにより、ＰＣと無線基地局との間のデータ流量の増加に応じて、マスタ機の回線接続数を増加し、また、マスタ機のみでは通信速度が不足する場合には、スレーブ機を使用すると共に、さらに、スレーブ機の回線接続数を増加させることができる。
【００２２】
また、本発明の無線通信機器においては、マスタ機における回線を増減する制御処理と、スレーブ機における回線を増減する制御処理が、ＰＣからの制御信号を受信して実行されるように構成したので、これにより、ＰＣと無線基地局との間のデータ流量の増加に応じて、ＰＣ側からの制御信号により、マスタ機の回線接続数を増加し、また、マスタ機のみでは通信速度が不足する場合には、スレーブ機を使用すると共に、さらに、スレーブ機の回線接続数を増加させることができる。
【００２３】
また、本発明の無線通信機器においては、前記マスタ機およびスレーブ機は、ＰＣ本体とＵＳＢにより接続されるようにしたので、これにより、マスタ機およびスレーブ機の活線挿抜が可能となる。
【００２４】
また、本発明の無線通信システムにおいては、ＰＣに着脱可能な通信端末を複数台用意し、そのうちの１つを呼出符号を記憶したマスタ機とし、その他を呼出符号を記憶しないスレーブ機とし、ＰＣに装着されたマスタ機およびスレーブ機の無線基地局への発呼をＰＣ本体側から制御し、さらに、送受信するデータのマスタ機およびスレーブ機への振り分けを、ＰＣにより行うようにしたので、これにより、ＰＣをモバイル環境で使用しているときには、通信速度よりも持ち運びに便利なようにマスタ機のみを装着して通信を行い、家庭等における固定運用時には、通信速度を重視してマスタ機とスレーブ機の両方を使用して通信するなどの使い分けができ、利便性が向上する。例えば、ＰＣをモバイル環境で使用し、ＰＨＳパケット通信を行っているときには、マスタ機のみの構成で最大１２８Ｋｂｐｓ、固定運用時には（マスタ機＋スレーブ機数）×１２８Ｋｂｐｓでの通信が可能になる。
【００２５】
また、本発明の無線通信システムにおいては、マスタ機における回線を増減する制御処理と、スレーブ機における回線を増減する制御処理が、ＰＣからの制御信号を受信して実行されるように構成したので、これにより、ＰＣと無線基地局との間のデータ流量の増加に応じて、ＰＣ側からの制御信号により、マスタ機の回線接続数を増加し、また、マスタ機のみでは通信速度が不足する場合には、スレーブ機を使用すると共に、さらに、スレーブ機の回線接続数を増加させることができる。
【００２６】
また、本発明の無線通信方法においては、ＰＣに着脱可能な通信端末を複数台用意し、そのうちの１つを呼出符号（電話番号に相当する符号）を記憶したマスタ機とし、その他の通信端末を呼出符号を記憶しないスレーブ機とし、ＰＣに装着されたマスタ機およびスレーブ機の無線基地局への発呼を、ＰＣ本体側から個々に制御できるようにしたので、これにより、ＰＣをモバイル環境で使用しているときには、通信速度よりも持ち運びに便利なようにマスタ機のみを装着して通信を行い、家庭等における固定運用時には、通信速度を重視してマスタ機とスレーブ機の両方を使用して通信するなどの使い分けができ、利便性が向上する。例えば、ＰＣをモバイル環境で使用し、ＰＨＳパケット通信を行っているときには、マスタ機のみの構成で最大１２８Ｋｂｐｓ、固定運用時には（マスタ機＋スレーブ機数）×１２８Ｋｂｐｓでの通信が可能になる。
【発明を実施するための最良の形態】
【００２７】
次に本発明を実施するための最良の形態について図面を参照して説明する。
図１は、本発明による無線通信機器（通信端末）と無線通信システムの概要を示す図である。
図１において、通信速度１２８ＫｂｐｓのＰＨＳデータ通信用の無線通信機器をＵＳＢ（Universal Serial Bus）デバイスで構成し、これを複数台用意する。そのうちの1台にのみ呼出符号（電話番号に相当する符号）を登録し、マスタ機２００とする。その他の無線通信機器を呼出符号を持たないスレーブ機３００とする。
【００２８】
マスタ機２００およびスレーブ機３００を発呼させるための呼制御プログラム本体は、ＰＣ（パーソナルコンピュータ）１００上にあり、最初に、マスタ機２００との組み合わせにより、ＰＨＳ無線基地局１に対して発呼動作を行う。マスタ機２００による発呼動作が完了し、通信中状態に入ると、最大通信速度１２８Ｋｂｐｓのデータ通信状態となる。なお、ＰＨＳ無線基地局１は、ＰＨＳ電話網２を介してインターネット網３と接続されている。
【００２９】
マスタ機２００による発呼動作が完了し、通信中状態に入った後、ＰＣ１００において、データの流量の増加により通信速度の増速指示が呼制御プログラム本体にて発生する。ここで、マスタ機２００の呼出符号を用いてスレーブ機３００の呼制御を起動し、スレーブ機３００を通信状態とする。この段階で、２台分の２５６Ｋｂｐｓでの通信状態となる。以降、回線契約にて決められている最大増速可能数もしくは、ＰＣ１００に接続されているスレーブ機３００の数だけ増速してゆく。
【００３０】
なお、図１に示す例では、ＰＣ１００のＵＳＢポートに、ＵＳＢハブ１００ａを接続し、ＵＳＢハブ１００ａに、マスタ機２００を１台、スレーブ機３００を３台まで接続できる構成例を示しているが、スレーブ機３００の台数は４つ以上であってもよい。また、ＰＣ１００がＰＨＳ基地局１とＰＨＳパケット通信を行うためには、マスタ機２００は必須であるが（呼出符号を記憶しているため）、スレーブ機３００は使用されない場合もある。
【００３１】
また、図２は、本発明の無線通信システムの機能構成例を示すブロック図であり、本発明に直接関係する部分を示したものである。
図２において、ＰＣ１００の内部には、状態表示アプリケーション１０１、ダイヤルアップアプリケーション１０２、ネッワークアプリケーション１０３、仮想ＣＯＭ・Ｉ／Ｆ（インターフェイス）１０４、ＰＣドライバ１０５、ＵＳＢハブ１００ａであるＵＳＢホストＩ／Ｆ１０９、記憶部１１０が設けられている。
【００３２】
状態表示アプリケーション１０１は、ＰＣ１００がどのような接続状態・通信状態にあるかをＰＣ画面上に表示するアプリケーションプログラムである。ダイヤルアップアプリケーション１０２は、インターネットに接続するためにモデムで電話をかけるアプリケーショプログラムである。ネッワークアプリケーション１０３は、インターネットで使用するプログラムであり、ＷＷＷブラウザ、ＦＴＰ等である。
【００３３】
仮想ＣＯＭ・Ｉ／Ｆ１０４は、モデムで一般的に使用されているＣＯＭ（シリアル）Ｉ／Ｆを仮想化し、あたかもシリアル接続されているモデムを制御するかのように様々な電話デバイスを制御するための仮想ソフトウエアである。
【００３４】
ＰＣドライバ１０５には、機器装着認識部（機器装着認識手段）１０６と、ＰＣ呼制御部（ＰＣ呼制御手段）１０７と、ＰＣ帯域制御部（ＰＣ帯域制御手段）１０８とが含まれている。
機器装着認識部１０６は、ＵＳＢホストＩ／Ｆ１０９に装着されたマスタ機２００およびスレーブ機３００の認識処理を行う。
ＰＣ呼制御部１０７は、電話の接続状態を管理するブロックであり、インターネット接続開始時にＰＣ１００に認識されているマスタ機２００およびスレーブ機３００のコントロール・指示のみを行う。また、ＰＣ帯域制御部１０８は、送受信するデータをマスタ機２００およびスレーブ機３００に振り分ける処理を行うと共に、データ流量に対応して、マスタ機２００およびスレーブ機３００に対して回線の増減を指示する制御信号を生成して送信する処理を行う。ここでデータ流量とは、ＰＣ１００が通信するデータの流量であり、ネットワークアプリケーション１０３が送受信するデータ流量を検出してＰＣ帯域制御部１０８に通知するといった処理により、ＰＣ帯域制御部１０８がデータ流量を検出してもよいし、または送信データとしてバッファなどに書込まれる単位時間あたりのデータ量を、ＰＣ帯域制御部１０８が検出するようにしてもよい。
【００３５】
ＵＳＢホストＩ／Ｆ１０９は、通常ＰＣ１００ではＵＳＢポートは２〜４個程度が実装されているが、このＵＳＢホストＩ／Ｆ１０９にＵＳＢハブ１００ａ（図１参照）を更に接続することで、更に多くのスレーブ機を拡張することができる。
【００３６】
記憶部１１０には、マスタ機２００およびスレーブ機３００の情報（型式番号や製品番号、ＵＳＢホストＩ／Ｆ１０９における挿入位置など）、マスタ機２００から読み出した呼出符号の情報、マスタ機２００およびスレーブ機３００の機器総数の情報などが記録される。
【００３７】
マスタ機２００およびスレーブ機３００は、ＵＳＢ・Ｉ／Ｆを持つＰＨＳデータ通信機器であり、時分割されているデータスロットを４つ（送受信スロットを合わせると８つ）全て使うことで、３２Ｋｂｐｓ×４＝１２８Ｋｂｐｓのパケットデータ通信が行えるように構成されている。なお、ハードウエア構成上はマスタ機２００もスレーブ機３００も同等であるが、マスタ機２００のみが公衆回線対して発呼動作を行うための呼出符号（電話番号に相当する符号）が登録されている。スレーブ機３００は、単独では機能しないが、マスタ機２００は単独で使用でき、その場合、最大通信速度は１２８Ｋｂｐｓとなる。なお、呼出符号は、マスタ機２００でのみ使用する方法（発呼制御は全てマスタ機２００で行う方法）の他に、ＰＣ１００で呼出符号を読み出し、ＰＣから発呼制御する方法も使用できる。
【００３８】
マスタ機２００内のＵＳＢ・Ｉ／Ｆ２０１は、マスタ機２００をＰＣ１００のＵＳＢホストＩ／Ｆ１０９にＵＳＢ接続するためのインターフェイスである。
【００３９】
マスタ機２００内の呼制御部（呼制御手段）２０２は、ＰＣ呼制御部１０７からの指示に従って、公衆回線に接続する制御を行う。帯域制御部（帯域制御手段）２０３は、マスタ機内部の帯域制御（回線の増減を管理する）処理を行う。使用する回線を増減する制御は、回線の使用状況に応じてＰＣから増減する能動的な制御と、無線品質の悪化、網側の混雑状況などから増減する受動的な制御とがある。呼出符号２０４は、公衆回線接続用に一意に割り当てられた番号であり、例えば、電話番号を使用する。
【００４０】
マスタ機２００内のパケット通信ブロック（Ｐ１〜Ｐ４）２０５は、パケット通信路の１つに対して１つずつ存在するソフトウエアブロックであり、１ブロックあたり３２Ｋｂｐｓの通信能力がある。無線通信ブロック（Ｒ１〜Ｒ４）２０６は、物理的には１セットであるが、時分割（４分割）で使用されるため、論理的に４ブロックあるイメージ図で示している。すなわち、パケットブロック１つに対して、１つの論理的な無線通信システムブロックあるようなイメージで示したものである。
【００４１】
なお、図９は、ＰＨＳにおける物理チャネルとスロットについて説明するための図であり、ＰＨＳにおいては、１つの物理チャネルを送信スロット４つと受信スロット４つに分けて使用しており、送受信をあわせると実質的に４スロットで時分割使用していることになり、各スロットにおける最大通信速度は３２Ｋｂｐｓであり、最大１２８Ｋｂｐｓ（３２Ｋｂｐｓ×４）の通信速度となる。また、マスタ機２００で使用される物理チヤネルと、スレーブ機３００で使用される物理チヤネルとは、周波数が異なる。
【００４２】
ＰＨＳ無線基地局（Ｃ１〜Ｃ４）１は、マスタ機２００内の無線通信ブロック（Ｒ１〜Ｒ４）と通信接続される無線基地局を示している。なお無線基地局の１台で４スロットをまかなうか、無線基地局の４台で接続するかはそのときの網の状態による選択される。
【００４３】
スレーブ機（＃１〜＃ｎ）３００内の呼制御部（呼制御手段）３０２は、ＰＣ呼制御部１０７からの指示に従って、公衆回線に接続する制御を行う。帯域制御部（帯域制御手段）３０３は、スレーブ機内部の帯域制御（回線の増減を管理する）処理を行う。使用する回線を増減する制御は、回線の使用状況に応じてＰＣ１００から増減する能動的な制御と、無線品質の悪化、網側の混雑状況などから増減する受動的な制御とがある。なお、スレーブ機３００にはマスタ機２００が有する呼出符号（電話番号に相当する符号）は記憶されない。
【００４４】
スレーブ機３００内のパケット通信ブロック（Ｐ１〜Ｐ４）３０５は、パケット通信路１に対して1つずつ存在するソフトウエアブロックであり、１ブロックあたり３２Ｋｂｐｓの通信能力がある。無線通信ブロック（Ｒ１〜Ｒ４）３０６は、物理的には１セットであるが、時分割（４分割）で使用されるため、論理的に４ブロックあるイメージ図で示している。無線基地局（Ｃ５〜Ｃ８、Ｃｗ〜Ｃｚ）１は、スレーブ機３００内の無線通信システムブロックと通信接続される無線基地局を示している。
【００４５】
図２に示すような構成において、ＰＣドライバ（呼制御ブロック）１０５では、機器装着認識部１０６により、マスタ機２００およびスレーブ機３００がＵＳＢホストＩ／Ｆ１０９に挿抜された場合に、挿抜された機器の認識を行い、マスタ機２００およびスレーブ機３００の存在、および総数の管理を行う。このマスタ機２００およびスレーブ機３００の挿抜の認識は、ＵＳＢホストＩ／Ｆ１０９への機器挿入により、ＰＣ１００が自動的にそれを認識できるように構成されている。なお、マスタ機２００が挿入されていなければ、呼出符号２０４の読み出しが行えず発呼不可となる。また、認識された機器装着状態は、状態表示アプリケーション１０１によりＰＣ１００の画面上に表示される。
【００４６】
そして、ユーザ操作によりインターネットへの接続が開始されると、マスタ機２００とスレーブ機３００の状態を記憶し、以降、マスタ機２００およびスレーブ機３００の挿抜等があった場合には無条件に全体の切断処理を実施する。
【００４７】
また、ＰＣドライバ１０５は、マスタ機２００から呼出符号２０４を読み出し、記憶部１１０に記憶する。この呼出符号２０４はこれ以降、回線が切断されるまで、マスタ機２００およびスレーブ機３００が無線基地局１に回線接続するたびに利用される。
【００４８】
また、ＰＣドライバ１０５は、最初に、マスタ機２００と、呼出符号を使用して無線基地局１への１回線パケット接続を実施し、初期の通信状態は、３２Ｋｂｐｓの通信速度となる。
【００４９】
以降、ＰＣ１００では、データの流量を監視し、増速閾値（最大流量の９０％、例えば、３２Ｋｂｐｓ×９０％）を
超える場合には、マスタ機２００内で最大４回線までのパケット接続を実施し、計４×３２Ｋｂｐｓ＝１２８Ｋｂｐｓまでの増速処理を実施する。そして、さらにデータ流量が増速閾値を超える場合には、マスタ機２００から読み出した呼出符号を使用して、スレーブ機（＃１）３００から順番に増速処理を実施する。スレーブ機（＃ｎ）３００まで増速することで、（ｎ＋１）×４×３２Ｋｂｐｓまでの増速が可能となる。
【００５０】
また、図３は、マスタ機およびスレーブ機の基地局への接続処理の流れを示すフローチャートであり、上述した処理を整理して示したものである。
また、図１０は、マスタ機１台、スレーブ機３台の場合の増速閾値、減速閾値および各機器の各通信速度における接続状態を表に示したものである。増速閾値、減速閾値として、各通信速度に対して、４０％の速度に相当する減速閾値と、９０％の速度に相当する増速閾値を定義している。その際の機器構成をＭ1(マスタ機１)とＳ１〜Ｓ３（スレーブ機１番〜３番）で示す。例えば、通信速度が３２０Ｋｂｐｓの場合、マスタ機およびスレーブ機Ｓ１は４スロットで通信を行い、スレーブ機Ｓ２は２スロットで通信を行う。また、スレーブ機Ｓ３は通信していない。
以下、図３並びに図１０を参照して、その処理の流れについて説明する。
【００５１】
最初に、インターネット接続処理が開始される（ステップＳ１）。ＰＣ１００では、ＵＳＢホストＩ／Ｆ１０９にマスタ機２００がＵＳＢ接続されているかどうかを判定する（ステップＳ２）。マスタ機２００がＵＳＢ接続されていない場合は、発呼不可として（ステップＳ３）、処理を終了する。
【００５２】
マスタ機２００がＵＳＢ接続されている場合は、マスタ機２００に記憶された呼出符号を読み出す（ステップＳ４）。また、ＵＳＢ接続されたスレーブ機３００の台数を判定する（ステップＳ５）。それから、マスタ機２００を無線基地局１に接続する（ステップＳ６）。マスタ機２００による無線基地局１への回線接続は、最初は、１回線パケット接続を実施し、３２Ｋｂｐｓの通信状態となる。
【００５３】
マスタ機２００を基地局に接続すると、通信状態を維持する（ステップＳ７）。
次に、データ流量が減速閾値以下か否かを判定する（ステップＳ８）。そして、データ流量が減速閾値以下であれば、通信速度の減速処理を行う（ステップＳ９）。このとき、どの機器のどのスロットに対して減速処理を行うのかは、図１０に示す機器構成に従って動作する。この減速処理は、所定の閾値ごとに、当該閾値よりデータ流量が多いか少ないかを判定して、順に減速処理が行われる。なお詳細については後述する。
次にデータ流量が増速閾値以下か否かを判定する（ステップＳ１０）。データ流量が増速閾値以下であれば、現在の通信状態を維持する（ステップＳ７）。データ流量が増速閾値より多い場合は、増速処理を行う（ステップＳ１１）。このとき、どの機器のどのスロットに対して増速処理を行うのかは、図１０に示す機器構成に従って動作する。そしてＰＣ帯域制御部１０８がステップ７〜ステップＳ１１の処理を繰り返す。
【００５４】
また、ステップＳ１０において、データ流量が増速閾値以上の場合には、ステップＳ５で確認されたスレーブ機台数を参照し、スレーブ機３００が装着されていない場合には、ＰＣ帯域制御部１０８は、マスタ機２００のみを用いて通信を行うと決定し、ステップＳ７の通信状態を維持する処理に移行する。
【００５５】
次に、ステップＳ１１のマスタ機増速処理について説明する。
図４はマスタ機増速処理の処理フローを示す図である。
図３のステップＳ７でデータ流量が図１０に示す増速閾値２８．８Ｋｂｐｓより多い場合には、マスタ機２００においてデータ流量が６４Ｋｂｐｓまで通信できる増速処理を行う（ステップＳ８１）。またデータ流量が図１０に示す増速閾値５７．６Ｋｂｐｓ以上か否かを判定し（ステップＳ８２）、増速閾値を超えた場合には、マスタ機２００においてデータ流量が９６Ｋｂｐｓまで通信できる増速処理を行う（ステップＳ８３）。またデータ流量が図１０に示す増速閾値８６．４Ｋｂｐｓ以上か否かを判定し（ステップＳ８４）、８６．４Ｋｂｐｓよりデータ量が多い場合には、マスタ機２００においてデータ流量が１２８Ｋｂｐｓまで通信できる増速処理を行う（ステップＳ８５）。また、ステップＳ８２においてデータ流量が増速閾値以下であった場合、ステップＳ８４においてデータ流量が増速閾値以下であった場合には、図３のステップＳ７の通信の状態を維持する処理に移る。以上の処理により、マスタ機２００の増速処理が行われる。なおマスタ機２００における増速処理とは、図２で示すパケット通信ブロック２０５と無線通信ブロック２０６のうち利用するブロックを増加して、図９のような送信／受信スロット数を増加させることを意味する。すなわち、４つに時分割したスロットを１つずつ増加させて、１回線分の通信速度を増加させことである。
【００５６】
図５は、図３のステップＳ１１の増速処理の詳細を記述したものである。
マスタ機のスロットを４本使用し、１２８Ｋｂｐｓで通信している際に、接続前に図３のステップＳ５において、あらかじめ確認されたスレーブ機３００が装着されているという検出情報がある場合には、図５の増速シーケンスに従い、マスタ機およびスレーブ機の増速を行う。
【００５７】
図３のステップＳ１０において、データ流量が所定の閾値以上であると判別されると、ＰＣ帯域制御部１０７により増速要求がなされる。先ず、データ流量が１２８Ｋｂｐｓ以下か否かの判定がなされ（ステップＳ５１）、１２８Ｋｂｐｓ以下の場合はマスタ機増速処理がなされる（ステップＳ５２）。一方、ステップＳ５１で１２８Ｋｂｐｓ以上と判定された場合、現在通信接続されていないスレーブ機があるか否かを検出する（ステップＳ５３）。未接続スレーブ機がある場合には、ＰＣ帯域制御部１０８は、ＰＣ呼制御部１０７にスレーブ機３００の基地局への接続を指示する。ＰＣ呼制御部１０７は、マスタ機２００の呼出符号を記憶部１１０から読み取り（ステップＳ５４）、スレーブ機３００へ通知する。そしてスレーブ機３００の呼制御部３０２が呼出符号を用いて基地局への呼接続処理を行う（ステップＳ５５）。そして基地局に接続すると、所望の増速手順を実施し、その後、通信状態を維持する（ステップＳ５６）。
【００５８】
一方、図３のステップＳ８でデータ流量が所定の閾値以下であると判別され、ステップＳ９の減速処理を行う場合、図６に示す減速処理を行なう。
図６においてＰＣ帯域制御部１０８は、データ流量がスレーブ機３００を１つ使用した場合の減速閾値（本実施形態においては６４Ｋｂｐｓ）以下か否かを判定する（ステップＳ６０）。そしてデータ流量が減速閾値以下である場合には、現在通信接続されているスレーブ機の有無を検出し（ステップＳ６１）、接続スレーブ機がある場合、スレーブ機３００の切断処理を行う（ステップＳ６２）。このスレーブ機３００の切断処理は、例えばＰＣ帯域制御部１０８がＰＣ呼制御部１０７にスレーブ機切断を指示し、ＰＣ呼制御部１０７がスレーブ機３００に切断を指示する情報を送信することにより、行われる。一方、ステップＳ６０でデータ流量が６４Ｋｂｐｓ以上の場合、既に接続されているスレーブ機の減速処理を行う（ステップＳ６４）。
【００５９】
次に、ステップＳ９のマスタ機減速処理について説明する。
図７はマスタ機減速処理の処理フローを示す図である。
ステップＳ８でマスタ機のみの通信で、１２８Ｋｂｐｓ通信が行われている場合、マスタ機２００においてデータ流量が図１０に示す減速閾値である５１．２Ｋｂｐｓ以下か否かを判定し（ステップＳ１１１）、データ流量が５１．２Ｋｂｐｓ以下である場合には、マスタ機２００において通信できるデータ流量が９６Ｋｂｐｓまでとなる減速処理を行う（ステップＳ１１２）。次にマスタ機２００においてデータ流量が３８．４Ｋｂｐｓ以下か否かを判定し（ステップＳ１１３）、データ流量が３８．４Ｋｂｐｓ以下である場合には、マスタ機２００において通信できるデータ流量が６４Ｋｂｐｓまでとなる減速処理を行う（ステップＳ１１４）。次にマスタ機２００においてデータ流量が２５．６Ｋｂｐｓ以下か否かを判定し（ステップＳ１１５）、データ流量が２５．６Ｋｂｐｓ以下である場合には、マスタ機２００において通信できるデータ流量が３２Ｋｂｐｓまでとなる減速処理を行い（ステップＳ１１６）、ステップＳ１１２の通信の状態を維持する処理に移る。また、ステップＳ１１１においてデータ流量が９６Ｋｂｐｓより多い場合、ステップＳ１１３においてデータ流量が６４Ｋｂｐｓより多い場合、ステップＳ１１５においてデータ流量が３２Ｋｂｐｓより多い場合には、ステップＳ１２の通信の状態を維持する処理に移る。以上の処理により、マスタ機２００の減速処理が行われる。なおマスタ機２００における減速処理とは、図２で示すパケット通信ブロック２０５と無線通信ブロック２０６のうち利用するブロックを減少させて、図９のような送信／受信スロット数を減少させることを意味する。すなわち、４つに時分割したスロットを１つずつ減少させて、１回線分の通信速度を減少させことである。
【００６０】
スレーブ機３００を使用した増減速処理に関しては、マスタ機の増減速処理に基地局への接続・切断手順が手順の中に追加される。それ以外の動作は、図４および図７のマスタ機の増減速処理と同様であり、図１０に示すスレーブ機の増速閾値、減速閾値によって起動される増減速動作となる。
【００６１】
以上説明した処理手順により、ＰＣ１００と無線基地局１との間のデータ流量の増加に応じて、ＰＣ１００側からの制御信号により、マスタ機２００の回線接続数を増加し、また、マスタ機２００のみでは通信速度が不足する場合には、スレーブ機３００を使用すると共に、さらに、スレーブ機３００についても回線接続数を増加させることができる。尚、上記説明に記載の増速／減速の際の閾値は、一例であり、通信システムに対応させて変更も可能である。
【００６２】
また、図８は、ＵＳＢ機器の接続状態の認識処理の流れを示すフローチャートである。以下。図８を参照して、ＵＳＢ機器の認識処理の流れについて説明する。
最初に、マスタ機２００またはスレーブ機３００がＵＳＢ機器としてＰＣ１００のＵＳＢホストＩ／Ｆ１０９にＵＳＢ接続される（ステップＳ２１）。
【００６３】
ＵＳＢ機器が接続されると、ＰＣ１００では、接続されたＵＳＢ機器がマスタ機２００であるかどうかを判定する（ステップＳ２２）。マスタ機２００であると判定された場合は、記憶部１１０（図２参照）にマスタ機の情報を記憶し（ステップＳ２３）、また、マスタ機２００内の呼出符号を読み出し、記憶部１１０に記憶する（ステップＳ２４）。
【００６４】
また、ステップＳ２２において、マスタ機２００ではなく、スレーブ機３００であると判定された場合は、ステップＳ２５に移行する。
【００６５】
ステップＳ２５においては、ＵＳＢ接続されたＵＳＢ機器（マスタ機２００およびスレーブ機３００）の総数、および]接続位置等を判定し記憶部１１０に記憶する。また、ＵＳＢ接続されたＵＳＢ機器の認識状態をＰＣ１００の画面上に表示する（ステップＳ２６）。
【００６６】
以上説明した処理手順により、ＰＣ１００に装着されたマスタ機２００およびスレーブ機３００を認識し、ＰＣ１００から制御できるようになる。
【００６７】
以上、本発明の実施の形態について説明したが、本発明の無線通信機器および無線通信システムは、上述の図示例にのみ限定されるものではなく、本発明の要旨を逸脱しない範囲内において種々変更を加え得ることは勿論である。
【産業上の利用可能性】
【００６８】
本発明は、１つまたは複数のパケット通信用の無線通信機器を、ＰＣに個々に着脱できるように構成し、ＰＣにおいて無線によるパケット通信を行う場合の利便性を高める効果を奏するので、本発明は、無線通信機器、無線通信システム、無線通信方法、記録媒体、及びプログラム等に有用である。
【図面の簡単な説明】
【００６９】
【図１】本発明による無線通信機器と無線通信システムの概要を示す図である。
【図２】本発明の無線通信システムの機能構成例を示すブロック図である。
【図３】マスタ機およびスレーブ機の無線基地局への接続処理および増減速処理全体のフローを示す図である。
【図４】マスタ機増速処理の処理フローを示す図である。
【図５】マスタ機およびスレーブ機の増速処理の処理フローを示す図である。
【図６】マスタ機およびスレーブ機の減速処理の処理フローを示す図である。
【図７】マスタ機減速処理の処理フローを示す図である。
【図８】ＵＳＢ機器の接続状態の認識処理の流れを示すフローチャートである。
【図９】ＰＨＳにおける物理チャネルとスロットについて説明するための図である。
【図１０】マスタ機１台、スレーブ機３台でシステムを構成した場合の増減速閾値と、その際に接続される機器の通信状態を示す図である。
【符号の説明】
【００７０】
１  無線基地局
２  ＰＨＳ電話網
３  インターネット網
１００  ＰＣ（パーソナルコンピュータ）
１００ａ  ＵＳＢハブ
１０１  状態表示アプリケーション
１０２  ダイヤルアップアプリケーション
１０３  ネッワークアプリケーション
１０４  仮想ＣＯＭ・Ｉ／Ｆ
１０５  ＰＣドライバ
１０６  機器装着認識部
１０７  ＰＣ呼制御部
１０８  ＰＣ帯域制御部
１０９  ＵＳＢホストＩ／Ｆ
２００  マスタ機
２０１  ＵＳＢ・Ｉ／Ｆ
２０２  呼制御部
２０３  帯域制御部
２０４  呼出符号
２０５  パケット通信ブロック
２０６  無線通信ブロック
３００  スレーブ機
３０１  ＵＳＢ・Ｉ／Ｆ
３０２  呼制御部
３０３  帯域制御部
３０５  パケット通信ブロック
３０６  無線通信ブロック
【図１】
2007096808.tif 000003
【図２】
2007096808.tif 000004
【図３】
2007096808.tif 000005
【図４】
2007096808.tif 000006
【図５】
2007096808.tif 000007
【図６】
2007096808.tif 000008
【図７】
2007096808.tif 000009
【図８】
2007096808.tif 000010
【図９】
2007096808.tif 000011
【図１０】
2007096808.tif 000012